(57)【特許請求の範囲】
【請求項１】
本体操作部の下方に設けた下部空間部内に、床面近くから上方へ延びた幕板を、下端が床面に接近した最も低い位置と、下端と床面間に配管スペースを確保した高い位置とに付け替えることができるように上下高さ調節可能に設け、該幕板の背後から幕板の前方へ配管を敷設する際に、幕板下端と床面間に配管スペースを確保すべく、該幕板を高い位置に付け替えてなることを特徴とするヒュームフードの配管装置。
【請求項２】
前記下部空間部に横方向に複数分割した幕板を設け、少なくとも一つの幕板を上下高さ調節可能に設けている請求項１記載のヒュームフードの配管装置。
【請求項３】
前記下部空間部内の上下部に上下支持部材を渡設し、各支持部材の前面側に受部を設けるとともに、前記幕板の背面には前記受部に係止可能な係止部を上下多段に設けてなる請求項１又は２記載のヒュームフードの配管装置。
【請求項４】
前記下部空間部内の上下部に上下支持部材を渡設し、各支持部材の前面側に第１面ファスナーを設けるとともに、前記幕板の背面には前記第１面ファスナーに係着する第２面ファスナーを設けて、幕板の高さを多段階又は無段階に調節してなる請求項１又は２記載のヒュームフードの配管装置。
【発明の詳細な説明】
【０００１】
【発明の属する技術分野】
本発明は、ヒュームフードの配管装置に係わり、更に詳しくは本体操作部の下方に設けた下部空間部内での配管を容易にするヒュームフードの配管装置に関するものである。
【０００２】
【従来の技術】
従来、ヒュームフードの本体操作部の下方に設けた下部空間部内に、本体操作部のシンクや蛇口に接続するための給排水管を配管することが一般的である。通常は、これらの給排水管を隠すために、その前方に幕板を固定的に設けている。
【０００３】
ところが、ヒュームフードの設置位置やヒュームフードの交換による寸法違い等によって、ヒュームフードの幕板後方の想定配管位置と実際に床面内から配管を引き出す位置とがずれる場合がある。床面内から配管を引き出す位置が、幕板より前方になる場合には、従来は設置現場で幕板の下部を切断したり、それが不可能な場合には幕板そのものを外してしまう等の応急処置が取られていた。特に最近は、ヒュームフードを車椅子に乗ったまま使用できるように、前記幕板は下部空間部内の奥部に設け、幕板前方の空間を十分に確保しているので、この問題は顕著になってきた。
【０００４】
このように、本来は幕板を設けるべき位置に幕板が存在しなかったり、下部が切断されていたりすると、外観性を損なうばかりでなく、不用意に配管を傷付けることも想定される。このような不具合を避けるためには、ヒュームフードを配管できる位置に設置しなければならないが、事実上それは不可能である。
【０００５】
【発明が解決しようとする課題】
本発明が前述の状況に鑑み、解決しようとするところは、本体操作部の下方に設けた下部空間部内に、本体操作部のシンクや蛇口に接続するための給排水管を、想定配管位置と実際に床面内から配管を引き出す位置とがずれていても配管することができ、しかも外観性を損なうことがないヒュームフードの配管装置を提供する点にある。
【０００６】
【課題を解決するための手段】
本発明は、前述の課題解決のために、本体操作部の下方に設けた下部空間部内に、床面近くから上方へ延びた幕板を、下端が床面に接近した最も低い位置と、下端と床面間に配管スペースを確保した高い位置とに付け替えることができるように上下高さ調節可能に設け、該幕板の背後から幕板の前方へ配管を敷設する際に、幕板下端と床面間に配管スペースを確保すべく、該幕板を高い位置に付け替えてなるヒュームフードの配管装置を構成した。
【０００７】
ここで、前記下部空間部に横方向に複数分割した幕板を設け、少なくとも一つの幕板を上下高さ調節可能に設けていることがより好ましい。
【０００８】
更に、前記下部空間部内の上下部に上下支持部材を渡設し、各支持部材の前面側に受部を設けるとともに、前記幕板の背面には前記受部に係止可能な係止部を上下多段に設けてなると、幕板の高さ調節が簡単である。
【０００９】
あるいは、前記下部空間部内の上下部に上下支持部材を渡設し、各支持部材の前面側に第１面ファスナーを設けるとともに、前記幕板の背面には前記第１面ファスナーに係着する第２面ファスナーを設けて、幕板の高さを多段階又は無段階に調節してなることも好ましい。
【００１０】
【発明の実施の形態】
次に本発明の実施の形態を添付図面に基づき更に詳細に説明する。図１及び図２は本発明に係るヒュームフードを示し、図中符号１は本体操作部、２は下部空間部、３は幕板、４は配管をそれぞれ示している。
【００１１】
本発明のヒュームフードの配管装置は、本体操作部１の下方に設けた下部空間部２内に、床面Ｆ近くから上方へ延びた幕板３を上下高さ調節可能に設け、該幕板３の背後から幕板３の前方へ配管４を敷設する際に、幕板３下端と床面Ｆ間に配管スペースを確保すべく、該幕板３を高い位置に付け替えてなるものである。
【００１２】
また、前記下部空間部２に横方向に複数分割した幕板３，…を設け、少なくとも一つの幕板３を上下高さ調節可能に設けている。具体的には、前記下部空間部２内の上下部に上下支持部材５，６を渡設し、各支持部材５，６の前面側に受部７，８，９を設けるとともに、前記幕板３の背面には前記受部７，８，９に係止可能な係止部１０，１１，１２，１３を上下多段に設けている。
【００１３】
更に詳しくは、図５及び図６に示すように、上方支持部材５は、下端縁を断面略Ｌ字形に突設して受部７を形成し、両端部を下部空間部２内の両側面に取付け、下部空間部２内に水平に渡設している。また、下方支持部材６は、下端縁を断面略Ｌ字形に突設して受部８を形成するとともに、上端縁を断面略Ｌ字形に突設して受部９を形成し、両端部を下部空間部２内の両側面に取付け、下部空間部２内に水平に渡設している。尚、前記下方支持部材６の上下の受部８，９の間隔が、幕板３の調節可能な高さとなる。
【００１４】
また、前記幕板３の背面には、上端縁に後方へ断面略Ｌ字形に折曲して係止部１０を形成するとともに、該係止部１０より下方で前記受部８，９の間隔に等しい位置に断面略Ｌ字形の係止部１１を突設し、更に背面下部で前記受部７，８の間隔と同じ距離だけ前記係止部１０より下方位置に、断面略Ｌ字形の係止部１２を突設し、更に背面下部で前記受部７，９の間隔と同じ距離だけ前記係止部１１より下方位置に、断面略Ｌ字形の係止部１３を突設している。
【００１５】
つまり、前記幕板３を最も低い位置に取付けるには、上方支持部材５の受部７に、幕板３の係止部１０を係止するとともに、下方支持部材６の受部８に幕板３の係止部１２を係止する（図１、図３及び図６（ａ）参照）。この状態で、前記幕板３の下端は床面Ｆに接近した状態となる。一方、前記幕板３を高い位置に取付けるには、上方支持部材５の受部７に、幕板３の係止部１１を係止するとともに、下方支持部材６の受部９に幕板３の係止部１３を係止する（図２、図４及び図６（ｂ）参照）。この状態では、前記幕板３の下端と床面Ｆとの間に配管空間が形成され、幕板３の後方から前方にかけて配管４を床面Ｆに敷設することができる。尚、幕板３を横方向に複数に分割しているので、配管４に対応する幕板３のみを高い位置に取付けるだけで良く、その他の幕板３は定位置に取付けることができるので、外観性に優れたものになる。
【００１６】
本実施形態では、幕板３の高さを二段階に調節できるように構成したが、更に配管４の直径に応じて多段階に高さ調節できるようにすることも可能である。
【００１７】
尚、図示しないが、前記下部空間部２内の上下部に上下支持部材５，６を渡設し、各支持部材５，６の前面側に第１面ファスナーを設けるとともに、前記幕板３の背面には前記第１面ファスナーに係着する第２面ファスナーを設けて、幕板３の高さを多段階又は無段階に調節してなることも可能である。更に、面ファスナーも代わりにマグネットキャッチを用いて幕板３の高さを多段階又は無段階に調節してなることも可能である。
【００１８】
【発明の効果】
以上にしてなる請求項１に係る発明のヒュームフードの配管装置は、本体操作部の下方に設けた下部空間部内に、床面近くから上方へ延びた幕板を、下端が床面に接近した最も低い位置と、下端と床面間に配管スペースを確保した高い位置とに付け替えることができるように上下高さ調節可能に設け、該幕板の背後から幕板の前方へ配管を敷設する際に、幕板下端と床面間に配管スペースを確保すべく、該幕板を高い位置に付け替えてなるので、下部空間部内に、本体操作部のシンクや蛇口に接続するための給排水管を、想定配管位置と実際に床面内から配管を引き出す位置とがずれていても配管することができ、しかも外観性を損なうことがないのである。
【００１９】
請求項２によれば、配管に対応する幕板のみを高い位置に取付けるだけで良く、その他の幕板は定位置に取付けることができるので、外観性に優れたものになる。
【００２０】
請求項３によれば、上下支持部材の受部に幕板の背面の係止部を係止するだけであるので、幕板の高さ調節を簡単に行うことができ、また調節した高さが経年変化することがないのである。
【００２１】
請求項４によれば、幕板の高さを細かく調節することができ、幕板を配管の直径に応じて最小限の高さに設定することにより、外観性の一層の向上が図れるのである。
【図面の簡単な説明】
【図１】本発明に係るヒュームフードの正面図である。
【図２】同じく幕板の前後にわたって配管した状態のヒュームフードの正面図である。
【図３】図１の状態の部分断面図である。
【図４】図２の状態の部分断面図である。
【図５】上下支持部材と幕板の関係を示す斜視図である。
【図６】上下支持部材に幕板を取付けた状態を示し、（ａ）は幕板が通常の低い状態、（ｂ）は幕板が高い状態をそれぞれ示している。
【符号の説明】
１  本体操作部
２  下部空間部
３  幕板
４  配管
５  上方支持部材
６  下方支持部材
７，８，９  受部
１０，１１，１２，１３  係止部
【図１】
0003753009.tif 000002
【図２】
0003753009.tif 000003
【図３】
0003753009.tif 000004
【図４】
0003753009.tif 000005
【図５】
0003753009.tif 000006
【図６】
0003753009.tif 000007